(57)【要約】【課題】切り換え手段における構造を簡素化でき、切り換えを常に円滑に行える転換設備を提供する。【解決手段】切り換え手段１１０は、左右一対の内移動案内部９２Ａ，９２Ｂからの被案内体８４を受け入れる左右一対の合流案内部１１５Ａ，１１５Ｂと、被案内体を左右一対の外移動案内部９３Ａ，９３Ｂに案内する左右一対の分岐案内部１１６Ａ，１１６Ｂと、合流案内部からの被案内体を分岐案内部に振り分ける切り換え案内部１２０を有する。切り換え案内部は左斜行案内体１２１Ａと右斜行案内体１２１Ｂを有し、両斜行案内体は、対応する合流案内部での被案内体の移動力によって、対応する合流案内部に突出している位置から、対応しない分岐案内部を塞ぐと同時に対応する合流案内部と分岐案内部とを接続する位置へ移動する。共通の斜行案内体により、被案内体の移動力の受け止めと、対応しない分岐案内部を塞ぐと同時に対応する合流案内部と分岐案内部とを接続することを行え、切り換え動を常に円滑かつ確実に行え、切り換え手段の構造を簡素化できる。【選択図】図１
2007238253.tif 000002
【特許請求の範囲】
【請求項１】
主搬送経路に沿って配設された左右一対の無端回動体と、これら無端回動体間に多数取り付けられ、かつ主搬送経路とは直交状の方向が長さ方向とされた物品支持体と、この物品支持体に外嵌して案内される物品横押し体とが設けられた転換設備であって、
前記物品横押し体の下部側には被案内体が取り付けられ、本体フレーム側には前記被案内体の案内を行う案内装置が配設され、この案内装置は、下手側ほど内側へと傾斜した左右一対の内移動案内部と、これら内移動案内部の終端に切り換え手段を介して対向し、かつ下手側ほど外側へと傾斜した左右一対の外移動案内部とからなり、前記切り換え手段は、内移動案内部からの被案内体を受け入れる左右一対の合流案内部と、被案内体を外移動案内部に案内する左右一対の分岐案内部と、合流案内部からの被案内体を分岐案内部に振り分ける切り換え案内部とを有し、この切り換え案内部は左斜行案内体と右斜行案内体とを有し、これら斜行案内体は、対応する合流案内部での被案内体の移動力によって、対応する合流案内部に突出している位置から、対応しない分岐案内部を塞ぐと同時に対応する合流案内部と分岐案内部とを接続する位置へと移動自在に構成されていることを特徴とする転換設備。
【請求項２】
切り換え案内部は、一方の斜行案内体が突出位置にあるとき他方の斜行案内体は接続位置にあるとともに、両斜行案内体間には移動連動機構が設けられ、一方の斜行案内体が突出位置から接続位置に移動するに連動して、他方の斜行案内体が接続位置から突出位置に移動するように構成されていることを特徴とする請求項１記載の転換設備。
【請求項３】
移動連動機構がリンク機構からなることを特徴とする請求項２記載の転換設備。
【請求項４】
被案内体は、物品横押し体の下部側に垂設される支持軸と、この支持軸に遊転自在に取り付けられたローラからなり、このローラが切り換え手段で案内されるように構成されていることを特徴とする請求項１〜３のいずれか１項に記載の転換設備。
【発明の詳細な説明】
【技術分野】
【０００１】
本発明は、たとえば主搬送経路上で搬送されている物品を、この主搬送経路の側部外方に設けた分岐搬送経路に移したりするのに使用される転換設備に関するものである。
【背景技術】
【０００２】
従来、この種のものとしては、次のような構成が提供されている。すなわち、荷物を横移動させるプッシャの案内路が設けられ、この案内路のうち、傾斜路がＸ状に交わる交差部には、プッシャの交差部での円滑な乗継ぎを可能とするための交差部乗継装置が設けられ、ここで交差部乗継装置は、センターカムやリンク機構や継ぎレバーなどから構成されている。そしてプッシャ側からの垂下軸には第２の案内部（ベアリング）が取り付けられるとともに、この垂下軸の下端は第１の案内部に形成されている。交差部乗継装置においては、第１の案内部がセンターカムの斜面、曲面、円弧面へと当接移動して、センターカムを枢支軸とともに回動させることで、リンク機構を介して、枢支軸とともに継ぎレバーを逆に回動させて、交差部ガイド板の切欠部に嵌着させている。これにより第１の案内部を、交差部ガイド板から継ぎレバーへと案内している（たとえば、特許文献１参照。）。
【特許文献１】特開平６−３２４４６号公報（第３−５頁、図８−図１１）
【特許文献２】特開平３−２０５２１１号公報（ＦＩＧ．３−ＦＩＧ．６）
【特許文献３】米国特許第３，３６１，２４７号公報（ＦＩＧ．１７−ＦＩＧ．１９）
【発明の開示】
【発明が解決しようとする課題】
【０００３】
しかし、上記した従来構成によると、第１の案内部の移動力によって回動するセンターカム（部材）と、このセンターカムにリンク機構を介して連動して回動する継ぎレバー（部材）との異なる形状の２部材を使用する形式であることから、構造が複雑になるとともに、リンク機構を介しての連動が円滑に行えないことになる。また第１の案内部が、センターカムの円弧面から斜面へと当接移動しているときや斜面から外れたとき、このセンターカムがガタついて、継ぎレバーが交差部ガイド板の切欠部から離れる状態、すなわち、継ぎレバーが交差部ガイド板に対して跳ね返る状態となり、以て継ぎレバーによる第１の案内部の案内を円滑に行えないことになる。
【０００４】
さらに第１の案内部（垂下軸の下端）をセンターカムや交差部ガイド板に作用させる形式であることから、その摺動などによってセンターカムや交差部ガイド板が摩耗し、この摩耗によって第１の案内部による衝突音（騒音）が発生することになる。さらに交差部は、第１の案内部（垂下軸の下端）のみのガイド（案内）のため、この第１の案内部によって荷物を横移動させる力を全て受けることになり、荷物の横移動が不安定となる。
【０００５】
そこで本発明の請求項１記載の発明は、切り換え手段における構造を簡素化し得るとともに、切り換えを常に円滑に行える転換設備を提供することを目的としたものである。
また本発明の請求項４記載の発明は、切り換え手段における摩耗による衝突音（騒音）の発生を減少し得るとともに、物品の横移動を常に安定して行える転換設備を提供することを目的としたものである。
【課題を解決するための手段】
【０００６】
前述した目的を達成するために、本発明の請求項１記載の転換設備は、主搬送経路に沿って配設された左右一対の無端回動体と、これら無端回動体間に多数取り付けられ、かつ主搬送経路とは直交状の方向が長さ方向とされた物品支持体と、この物品支持体に外嵌して案内される物品横押し体とが設けられた転換設備であって、前記物品横押し体の下部側には被案内体が取り付けられ、本体フレーム側には前記被案内体の案内を行う案内装置が配設され、この案内装置は、下手側ほど内側へと傾斜した左右一対の内移動案内部と、これら内移動案内部の終端に切り換え手段を介して対向し、かつ下手側ほど外側へと傾斜した左右一対の外移動案内部とからなり、前記切り換え手段は、内移動案内部からの被案内体を受け入れる左右一対の合流案内部と、被案内体を外移動案内部に案内する左右一対の分岐案内部と、合流案内部からの被案内体を分岐案内部に振り分ける切り換え案内部とを有し、この切り換え案内部は左斜行案内体と右斜行案内体とを有し、これら斜行案内体は、対応する合流案内部での被案内体の移動力によって、対応する合流案内部に突出している位置から、対応しない分岐案内部を塞ぐと同時に対応する合流案内部と分岐案内部とを接続する位置へと移動自在に構成されていることを特徴としたものである。
【０００７】
したがって請求項１の発明によると、両無端回動体の移動によって物品支持体群を主搬送経路上で移動させることにより、始端部の物品支持体群上に供給した物品を主搬送経路上で搬送し得る。そして、被案内体を、内移動案内部により案内して内側へ移動させたのち、切り換え手段を介して外移動案内部に移し、この外移動案内部により案内して外側へ移動させることにより、物品支持体の長さ方向に物品横押し体を移動させて物品を横押しし得、以て物品を主搬送経路の側部外方に払い出しし得る。
【０００８】
その際に、切り換え手段における斜行案内体の切り換わり動作は、対応する合流案内部での被案内体の移動力を利用して行える。すなわち、被案内体を内移動案内部により案内して内側へ移動させたのち、切り換え手段を介して外移動案内部に移しているときに、斜行案内体が、対応しない分岐案内部を塞ぐと同時に対応する合流案内部と分岐案内部とを接続した位置にあるとき、内移動案内部からの被案内体は、接続している合流案内部、斜行案内体、分岐案内部へと案内されて外移動案内部に移ることになり、以て物品横押し体群を、主搬送経路において横切らせることになる。
【０００９】
また斜行案内体が、対応する合流案内部に突出した位置にあるとき、内移動案内部からの被案内体は、合流案内部を移動して斜行案内体に当接し、この状態から被案内体の移動力によって斜行案内体を下手側へと押し作用して移動させることになる。そして、斜行案内体の下手側への移動は、この斜行案内体により、対応しない分岐案内部を塞ぐと同時に、対応する合流案内部と分岐案内部とを接続するまで行われる。したがって被案内体は、接続した合流案内部、斜行案内体、分岐案内部に案内されて外移動案内部に移ることになり、以て物品横押し体群を、主搬送経路において横切らせることになる。
【００１０】
このように切り換え案内部の切り換えは、被案内体の移動力によって行え、その際に、共通の斜行案内体によって、被案内体の移動力を受け止めることと、対応しない分岐案内部を塞ぐと同時に対応する合流案内部と分岐案内部とを接続することとを行えることになる。
【００１１】
また本発明の請求項２記載の転換設備は、上記した請求項１記載の構成において、切り換え案内部は、一方の斜行案内体が突出位置にあるとき他方の斜行案内体は接続位置にあるとともに、両斜行案内体間には移動連動機構が設けられ、一方の斜行案内体が突出位置から接続位置に移動するに連動して、他方の斜行案内体が接続位置から突出位置に移動するように構成されていることを特徴としたものである。
【００１２】
したがって請求項２の発明によると、切り換え手段における両斜行案内体の切り換わり動作は、被案内体の移動力を利用して自動的に行える。すなわち、たとえば被案内体を、左右における一方側の内移動案内部により案内して内側へ移動させたのち、切り換え手段を介して他方側の外移動案内部に移しているときに、一方側の斜行案内体は、対応しない分岐案内部を塞ぐと同時に対応する合流案内部と分岐案内部とを接続する位置にあり、また他方側の斜行案内体は、対応する合流案内部に突出している位置にある。これにより、一方側の内移動案内部からの被案内体は、接続している一方側の合流案内部、一方側の斜行案内体、他方側の分岐案内部へと案内されて他方側の外移動案内部に移ることになり、以て物品横押し体群を、主搬送経路において一方側から他方側へと横切らせることになる。その際に被案内体は、一方側の斜行案内体により案内されることで、一方側の分岐案内部に入り込むことなく通過し得る。
【００１３】
このような状態において、他方側の内移動案内部からの被案内体は、他方側の合流案内部を移動して他方側の斜行案内体に当接し、そして被案内体の移動力によって他方側の斜行案内体を下手側へと押し作用して移動させることになる。したがって、他方側の内移動案内部からの被案内体は、接続している他方側の合流案内部、他方側の斜行案内体、一方側の分岐案内部に案内されて一方側の外移動案内部に移ることになり、以て物品横押し体群を、主搬送経路において他方側から一方側へと横切らせることになる。その際に被案内体は、他方側の斜行案内体により案内されることで、他方側の分岐案内部に入り込むことなく通過し得る。
【００１４】
上述したような一方側（他方側）の斜行案内体の移動は、移動連動機構を介して他方側（一方側）の斜行案内体に伝達し得、以て一方側（他方側）の斜行案内体を突出位置から接続位置に移動させることに移動連動機構を介して連動して、他方側（一方側）の斜行案内体を接続位置から突出位置に移動させ得る。
【００１５】
そして本発明の請求項３記載の転換設備は、上記した請求項２記載の構成において、移動連動機構がリンク機構からなることを特徴としたものである。
したがって請求項３の発明によると、左右の斜行案内体間の連動を、簡単な構成で、精度良く円滑に行える。
【００１６】
さらに本発明の請求項４記載の転換設備は、上記した請求項１〜３のいずれか１項に記載の構成において、被案内体は、物品横押し体の下部側に垂設される支持軸と、この支持軸に遊転自在に取り付けられたローラからなり、このローラが切り換え手段で案内されるように構成されていることを特徴としたものである。
【００１７】
したがって請求項４の発明によると、切り換え手段における斜行案内体の切り換わり動作はローラの移動力を利用して行え、その際にローラの遊転によって斜行案内体の摩耗を少なくし得る。さらに切り換え手段は、ローラによって物品を横移動させる力を全て受けることになる。しかもローラを案内する形式によって、斜行案内体が少し内側へ変位して、合流案内部や分岐案内部に非直線状で接続したとしても、このローラの外周によって斜行案内体への移動を行えるとともに、移動力によって斜行案内体の位置を修正し得る。
【発明の効果】
【００１８】
上記した本発明の請求項１によると、両無端回動体の移動によって物品支持体群を主搬送経路上で移動させることにより、始端部の物品支持体群上に供給した物品を主搬送経路上で搬送できる。そして、被案内体を、内移動案内部により案内して内側へ移動させたのち、切り換え手段を介して外移動案内部に移し、この外移動案内部により案内して外側へ移動させることにより、物品支持体の長さ方向に物品横押し体を移動させて物品を横押しし、以て物品を主搬送経路の側部外方に払い出すことができる。
【００１９】
その際に、切り換え手段における斜行案内体の切り換わり動作は、対応する合流案内部での被案内体の移動力を利用して自動的に行うことができる。すなわち、被案内体を内移動案内部により案内して内側へ移動させたのち、切り換え手段を介して外移動案内部に移しているときに、斜行案内体が、対応しない分岐案内部を塞ぐと同時に対応する合流案内部と分岐案内部とを接続した位置にあるとき、内移動案内部からの被案内体を、接続している合流案内部、斜行案内体、分岐案内部へと案内して外移動案内部に移すことができ、以て物品横押し体群を、主搬送経路において横切らせることができる。
【００２０】
また斜行案内体が、対応する合流案内部に突出した位置にあるとき、内移動案内部からの被案内体を、合流案内部で移動させて斜行案内体に当接でき、この状態から被案内体の移動力によって斜行案内体を下手側へと押し作用して移動させることができる。そして、斜行案内体の下手側への移動は、この斜行案内体により、対応しない分岐案内部を塞ぐと同時に、対応する合流案内部と分岐案内部とを接続するまで行うことができる。したがって被案内体を、接続している合流案内部、斜行案内体、分岐案内部へと案内して外移動案内部に移すことができ、以て物品横押し体群を、主搬送経路において横切らせることができる。
【００２１】
このように切り換え案内部の切り換えは、被案内体の移動力によって自動的にかつ常に円滑に行うことができる。その際に、共通の斜行案内体によって、被案内体の移動力の受け止めることと、対応しない分岐案内部を塞ぐと同時に対応する合流案内部と分岐案内部とを接続することとを行うことができて、斜行案内体の切り換え動を常に円滑かつ確実に行うことができるとともに、切り換え手段における構造を簡素化できる。さらに被案内体が斜行案内体に直接に作用することで、この斜行案内体がガタついて跳ね返るようなことはなくなり、以て斜行案内体による被案内体の案内を常に円滑に行うことができる。
【００２２】
また上記した本発明の請求項２によると、切り換え手段における両斜行案内体の切り換わり動作は、被案内体の移動力を利用して自動的に行うことができる。すなわち、たとえば被案内体を、左右における一方側の内移動案内部により案内して内側へ移動させたのち、切り換え手段を介して他方側の外移動案内部に移しているときに、一方側の斜行案内体は、対応しない分岐案内部を塞ぐと同時に対応する合流案内部と分岐案内部とを接続する位置にでき、また他方側の斜行案内体は、対応する合流案内部に突出している位置にできる。したがって、一方側の内移動案内部からの被案内体を、接続している一方側の合流案内部、一方側の斜行案内体、他方側の分岐案内部へと案内して他方側の外移動案内部に移すことができ、以て物品横押し体群を、主搬送経路において一方側から他方側へと横切らせることができる。その際に被案内体は、一方側の斜行案内体により案内されることで、一方側の分岐案内部に入り込むことなく通過できる。
【００２３】
このような状態において、他方側の内移動案内部からの被案内体は、他方側の合流案内部を移動して他方側の斜行案内体に当接でき、そして被案内体の移動力によって他方側の斜行案内体を下手側へと押し作用して移動させることができる。したがって、他方側の内移動案内部からの被案内体を、接続している他方側の合流案内部、他方側の斜行案内体、一方側の分岐案内部に案内して一方側の外移動案内部に移すことができ、以て物品横押し体群を、主搬送経路において他方側から一方側へと横切らせることができる。その際に被案内体は、他方側の斜行案内体により案内されることで、他方側の分岐案内部に入り込むことなく通過できる。
【００２４】
このように一方側（他方側）の斜行案内体の移動を、移動連動機構を介して他方側（一方側）の斜行案内体に伝達でき、以て一方側（他方側）の斜行案内体を突出位置から接続位置に自動的に移動させることに移動連動機構を介して連動して、他方側（一方側）の斜行案内体を接続位置から突出位置に自動的に移動させることができる。
【００２５】
そして上記した本発明の請求項３によると、左右の斜行案内体間の連動を、簡単な構成で、精度良く円滑に行うことができる。
さらに上記した本発明の請求項４によると、切り換え手段における斜行案内体の切り換わり動作はローラの移動力を利用して自動的にかつ常に円滑に行うことができ、その際にローラの遊転によって、斜行案内体の摩耗を少なくでき、以て切り換え手段における摩耗による衝突音（騒音）の発生を減少できる。そして切り換え手段は、ローラによって物品を横移動させる力を全て受けることができ、物品の横移動を常に安定して行うことができる。しかもローラを案内する形式によって、斜行案内体が少し内側へ変位して、合流案内部や分岐案内部に非直線状で接続したとしても、このローラの外周によって斜行案内体への移動は何ら支障なく行うことができ、そして移動力によって斜行案内体の位置を自動的に修正できる。
【発明を実施するための最良の形態】
【００２６】
［実施の形態１］
以下に、本発明の実施の形態１を図に基づいて説明する。
図２〜図８において、１は本体フレームで、両側にそれぞれ上下一対に配設したフレーム材１０，２０と、上下ならびに左右のフレーム材１０，２０間を連結する中間枠部材２と、下位フレーム材２０から下方に連設した脚体３群などからなり、前記中間枠部材２は、縦連結材４や横連結材５などにより構成される。
【００２７】
前記上位フレーム材１０は、アルミニウムの成形品により断面矩形状に形成され、そして中央部に上方への起立部１１を形成して、この起立部１１の上部外側に切欠き状の段部１２を形成し、また起立部１１の上部内側に上向き溝状の潤滑油受け部１３を形成している。さらに上位フレーム材１０には、起立部１１の位置に外向き蟻溝１４が、外側の段部１２の位置に上向き蟻溝１５がそれぞれ形成されるとともに、下端には内側下向き蟻溝１６と外側下向き蟻溝１７が形成されている。また上位フレーム材１０には、内側の潤滑油受け部１３よりも少し下方の位置から内方へ往路側案内レール部１８が突出され、この往路側案内レール部１８は物品支持体（後述する。）の支持案内用となる。ここで往路側案内レール部１８の部分には下向き蟻溝１９が形成される。なお、潤滑油受け部１３や蟻溝１４〜１７、１９や往路側案内レール部１８などは、上位フレーム材１０の成形時に長さ方向の全長に亘って形成される。以上の１１〜１９などにより上位フレーム材１０の一例が構成される。
【００２８】
前記下位フレーム材２０は、アルミニウムの成形品により断面矩形状に形成され、そして上端に内側上向き蟻溝２１と外側上向き蟻溝２２とが形成されるとともに、下端に内側下向き蟻溝２３と外側下向き蟻溝２４とが形成される。さらに下位フレーム材２０には、中間部の内側に上向き溝状の潤滑油受け部２５が形成されるとともに、内方へ復路側案内レール部２６が突出され、この復路側案内レール部２６は物品支持体の支持案内用となる。ここで復路側案内レール部２６の部分には下向き蟻溝２７が形成される。また、復路側案内レール部２６などにより形成される段部２８の上方に位置するように、上端延長部２９が一体に形成され、以て上端延長部２９の内側面によって横向き案内面が形成されている。これら蟻溝２１〜２４、２７や復路側案内レール部２６、上端延長部２９などは、下位フレーム材２０の成形時に長さ方向の全長に亘って形成される。以上の２１〜２９などにより下位フレーム材２０の一例が構成される。
【００２９】
前記中間枠部材２は、上位フレーム材１０の両下向き蟻溝１６，１７に板状のナット体６を位置させておき、そして中間枠部材２の縦連結材４や横連結材５に対して下方から通したボルト体７をナット体６に螺合し締め付けることで上位フレーム材１０と一体化され、また下位フレーム材２０の両上向き蟻溝２１，２２を利用することで、前述と同様にナット体６とボルト体７とにより下位フレーム材２０に一体化される。この中間枠部材２は、両フレーム材１０，２０の長さ方向において所定間隔置きに複数が配設される。また前記脚体３は、下位フレーム材２０の下向き蟻溝２３，２４を利用して、ナット体６とボルト体７により下位フレーム材２０に連結される。
【００３０】
上記のようにして構成された本体フレーム１の始端部には左右方向の従動軸３０が回転自在に配設され、また終端部には左右方向の駆動軸３１が回転自在に配設される。ここで従動軸３０や駆動軸３１は、両フレーム材１０，２０間に配設した左右一対の支持部材３２に、それぞれ軸受け装置３３を介して回転自在に支持されている。前記駆動軸３１に連動連結した駆動装置３４は、電動機３５と、これに一体化した減速機３６とからなり、この減速機３６の出力部が前記駆動軸３１に連動されている。
【００３１】
前記従動軸３０と駆動軸３１との両端で相対向部間には、スプロケット（輪体の一例）３８，３９を介して無端チェーン（無端回動体の一例）４０が配設されている。ここでスプロケット３８，３９は、前記支持部材３２の内側に配設されて従動軸３０や駆動軸３１に連結されている。また前記無端チェーン４０はリンク４１と連結ピン４２とからなり、往路側において潤滑油受け部１３の上方に位置され、また復路において潤滑油受け部２５の上方で段部２８内に位置されている。そして左右の無端チェーン４０間に物品支持体５０が多数取り付けられている。その際に、前記連結ピン４２群のうち、所定ピッチ置きの連結ピンを内側に突出させることで形成した長尺の連結ピン４２が物品支持体５０の取り付けに使用される。
【００３２】
前記物品支持体５０は、図２〜図６に示すように、両無端チェーン４０の移動方向となる主搬送経路４５に対して直交した方向を長さ方向５１として配設されている。この物品支持体５０は、上面に長さ方向５１に沿った凸状部５２を主搬送経路４５の方向で３条（複数条）に形成した扁平状の物品載置板部５３と、この物品載置板部５３の下面中間部（裏面中間部分）から前記主搬送経路４５の方向で一対に連設されかつ長さ方向５１に沿った脚板部５４と、物品載置板部５３の前端から下方かつ後方に延びる前板部５５と、物品載置板部５３の後端から下方かつ前方に延びる後板部５６などにより、型レール状に構成されている。このような構成において、両脚板部５４の下端は、内方へ突出することで厚肉部に形成され、以て両脚板部５４間でかつ物品載置板部５３の下面中間部との間に、相対向する側で開放する溝状の案内部５７が形成されている。なお、両脚板部５４の下端には、下方で開放する溝状の螺合部５４Ａが形成されている。以上の５２〜５７などにより物品支持体５０の一例が構成される。
【００３３】
このようにして構成された物品支持体５０における長さ方向５１の両端には、それぞれサイドブラケット６１が差し込み結合などにより取り付けられる。これらサイドブラケット６１は鉄製からなり、主搬送経路４５の方向で長い本体部６２の内面側の上部で前後の二箇所に、内方へ突出する板状の差し込み部が設けられている。さらに本体部６２における中間の下部には、内方への突出片が折れ曲がりにより形成されている。また、サイドブラケット６１の外面側で前部の一箇所には、外方へ突出する筒状体６３が溶接することによって取り付けられている。
【００３４】
上記のように形成されたサイドブラケット６１は、物品支持体５０における物品載置板部５３と前板部５５または後板部５６とにより形成された前後一対の空間部に一対の差し込み部を差し込み、次いで、外側から通したボルト体を螺合部５４Ａのいずれかに螺合結合させることで、物品支持体５０の両端に取り付け得る。そして、筒状体６３側の差し込み孔に対して、前記無端チェーン４０側からの長尺の連結ピン４２の突出部分を外側から差し込んで結合することで、物品支持体５０の両端を、それぞれサイドブラケット６１を介して無端チェーン４０に連結し得、以て左右一対の無端チェーン４０間に多数の物品支持体５０を取り付け得る。
【００３５】
前記筒状体６３には、外周部がウレタンからなる回転体（被案内部材の一例で、ベアリング形式やローラ形式などからなる。）６４が外嵌され、これら回転体６４は、前記本体フレーム１側の両案内レール部１８，２６の上向き支持面に支持案内される。また前記本体部６２の突出片には、外周部がウレタンからなるサイドローラ（被案内部材の一例）６５が縦軸６６を介して遊転自在に設けられ、これらサイドローラ６５は、前記往路側案内レール部１８の横向き案内面に案内される。
【００３６】
各物品支持体５０には、この物品支持体５０に外嵌して案内されることで長さ方向５１に移動自在な物品横押し体７０が設けられ、これら物品横押し体７０は、下位の矩形筒状部分７１と上位の横押し作用部７６とにより構成されている。すなわち矩形筒状部分７１は、前記物品載置板部５３に上側から対向される扁平状の上板材７２と、この上板材７２の前端から下方かつ後方に延びることで前板部５５に外側から対向される前板材７３と、前記上板材７２の後端から下方かつ前方に延びることで後板部５６に外側から対向される後板材７４と、前板材７３と後板材７４の下端間に位置される底板材７５などにより形成されている。
【００３７】
そして前記上板材７２の上面側（上方）に横押し作用部７６が設けられている。すなわち横押し作用部７６は、上板材７２の上方を覆う天板材７７と、この天板材７７における両側の横向き傾斜面の部分に着脱自在に取り付けられた横押し当接部材７８などにより形成されている。ここで横向き傾斜面は、たとえば平面視において傾斜角度θを３０度として全体が台形板状に形成され、そして横押し当接部材７８はゴム板などからなり、その横押し当接面が平面視において凹凸状に形成されている。
【００３８】
前記底板材７５の上面側には、両脚板部５４間に嵌合される上向き突状の被嵌合部７９が連設され、これにより前記物品横押し体７０は、被嵌合部７９を介して、物品支持体５０における案内部５７間で案内されるように構成されている。さらに、前記上板材７２側の下面には、前記物品支持体５０の物品載置板部５３に形成した凸状部５２に上方から対向される３本の凹溝部８０が形成されている。以上の７１〜８０などにより物品横押し体７０の一例が構成される。かかる物品横押し体７０は、横押し当接部材７８を除いて合成樹脂によって一体成形されている。
【００３９】
前記物品横押し体７０の下部側には、前記被嵌合部７９を利用して被案内体８４が取り付けられる。すなわち前記被嵌合部７９の中央部からローラ軸（支持軸の一例）８５が、その上部を埋め込み成形により支持させることで垂設され、このローラ軸８５の突出下部に、ローラ８６が遊転自在に取り付けられ、以てローラ８６は物品横押し体７０の裏面外方に位置される。その際にローラ軸８５は、ローラ８６に対して所定長さ下方に突出されるように構成されている。以上の８５〜８６などにより被案内体８４の一例が構成される。
【００４０】
図３〜図９に示すように、前記本体フレーム１の中間枠部材２における上位の横連結材５には前記被案内体８４の案内を行う往路案内装置（案内装置の一例）９０が配設され、また下位の横連結材５には復路案内装置９６が配設される。そして中央の分岐部には、往路側の上部切り換え手段（切り換え手段の一例）１１０と復路側の下部切り換え手段１０５とが配設され、さらに往路側の始端近くには左右一対の振り分け手段１０６Ａ，１０６Ｂが配設される。
【００４１】
前記往路案内装置９０は、始端部の両側にそれぞれ左右一対に設けた始端案内部９１Ａ，９１Ｂと、これら始端案内部９１Ａ，９１Ｂの終端に前記振り分け手段１０６Ａ，１０６Ｂを介して対向し、かつ下手側ほど内側へと傾斜した左右一対の内移動案内部９２Ａ，９２Ｂと、これら内移動案内部９２Ａ，９２Ｂの終端に前記上部切り換え手段１１０を介して対向し、かつ下手側ほど外側へと傾斜した左右一対の外移動案内部９３Ａ，９３Ｂと、これら外移動案内部９３Ａ，９３Ｂの終端に対向して配設したそれぞれ左右一対の終端案内部９４Ａ，９４Ｂなどからなる。
【００４２】
また前記復路案内装置９６は、下手側ほど内側へと傾斜した左右一対の内移動案内部９７Ａ，９７Ｂと、これら内移動案内部９７Ａ，９７Ｂの終端に前記下部切り換え手段１０５を介して対向し、かつ下手側ほど外側へと傾斜した左右一対の外移動案内部９８Ａ，９８Ｂなどからなる。
【００４３】
前記往路案内装置９０の始端案内部９１Ａ，９１Ｂや終端案内部９４Ａ，９４Ｂ、および前記復路案内装置９６の外移動案内部９８Ａ，９８Ｂは、上位の横連結材５に固定されたブラケット１００と、このブラケット１００に相対向する状態で取り付けられた一対または片側の案内体１０１などにより構成される。ここで案内体１０１はアルミニウムの押し出しまたは引き抜き成形品や樹脂製品などからなり、これら案内体１０１間や、案内体１０１と外移動案内部９３Ａ，９３Ｂまたは９８Ａ，９８Ｂとの相対向面間にローラ８６が位置される。なお、終端案内部９４Ａ，９４Ｂにおける案内体１０１は、ローラ８６の案内側に樹脂成形部材が設けられた構成や、この案内体１０１の全部が樹脂成形部材からなる構成などであってもよい。
【００４４】
また前記往路案内装置９０の内移動案内部９２Ａ，９２Ｂや外移動案内部９３Ａ，９３Ｂ、および前記復路案内装置９６の内移動案内部９７Ａ，９７Ｂや外移動案内部９８Ａ，９８Ｂは、前記案内体１０１を下位の横連結材５に対して直接に固定することで構成され、この案内体１０１の側面によりローラ８６が案内される。なお、始終の反転部でローラ８６の案内を行うべく、両軸３０，３１の部分にはローラ８６の嵌合を許す反転案内体１０７Ａ，１０７Ｂ，１０８Ａ，１０８Ｂが取り付けられている。
【００４５】
図１、図６、図７に示すように、前記上部切り換え手段１１０は、両内移動案内部９２Ａ，９２Ｂからのローラ８６を受け入れる左右一対の合流案内部１１５Ａ，１１５Ｂと、ローラ８６を両外移動案内部９３Ａ，９３Ｂに案内する左右一対の分岐案内部１１６Ａ，１１６Ｂと、合流案内部１１５Ａ，１１５Ｂからのローラ８６を両分岐案内部１１６Ａ，１１６Ｂに振り分ける切り換え案内部１２０などにより構成されている。その際に、上部切り換え手段１１０ではローラ８６を案内するように構成されている。
【００４６】
すなわち、前記上部切り換え手段１１０の本体となる矩形状のベース板体１１１が横連結材５上に載置されたのち固定具１１２を介して固定されている。このベース板体１１１には、合流案内部１１５Ａ，１１５Ｂと分岐案内部１１６Ａ，１１６Ｂとが上方開放の溝状に形成され、その際に合流案内部１１５Ａ，１１５Ｂと分岐案内部１１６Ａ，１１６Ｂとはローラ８６を嵌入自在な幅とされている。そして合流案内部１１５Ａ，１１５Ｂと分岐案内部１１６Ａ，１１６Ｂとは、左側の合流案内部１１５Ａと右側の分岐案内部１１６Ｂとが直線状に位置されるとともに、右側の合流案内部１１５Ｂと左側の分岐案内部１１６Ａとが直線状に位置される状態、すなわち傾斜路がＸ状に交わる状態で形成されている。
【００４７】
前記切り換え案内部１２０は、傾斜路がＸ状に交わる交差部に配置されるもので、左斜行案内体１２１Ａと右斜行案内体１２１Ｂとを有している。これら斜行案内体１２１Ａ，１２１Ｂは、対応する合流案内部１１５Ａ，１１５Ｂでのローラ８６の移動力によって、対応する合流案内部１１５Ａ，１１５Ｂに突出している位置から、対応しない分岐案内部１１６Ａ，１１６Ｂを塞ぐと同時に対応する合流案内部１１５Ａ，１１５Ｂと分岐案内部１１６Ｂ，１１６Ａとを接続する位置へと移動自在に構成されている。
【００４８】
すなわち、交差部の左右側部において、ベース板体１１１の下面からは縦ピン１２２Ａ，１２２Ｂが垂設され、これら縦ピン１２２Ａ，１２２Ｂに対して揺動体１２３Ａ，１２３Ｂが、その基端を介して回動自在に取り付けられるとともに、これら揺動体１２３Ａ，１２３Ｂの遊端で上面側に前記斜行案内体１２１Ａ，１２１Ｂが連結されている。ここでベース板体１１１の交差部の部分には貫通部１１３が形成され、前記斜行案内体１２１Ａ，１２１Ｂは貫通部１１３を上方へ挿通させることで、対応する合流案内部１１５Ａ，１１５Ｂに突出されることになる。
【００４９】
そして斜行案内体１２１Ａ，１２１Ｂは、揺動体１２３Ａ，１２３Ｂが上手側へ回動されたとき、対応する合流案内部１１５Ａ，１１５Ｂに突出して、その上手側に向く案内面１２１ａ，１２１ｂが合流案内部１１５Ａ，１１５Ｂを傾斜状で遮断する位置となり、そして揺動体１２３Ａ，１２３Ｂが下手側へ回動されたとき、対応しない分岐案内部１１６Ａ，１１６Ｂを塞ぐと同時に、その案内面１２１ａ，１２１ｂが、対応する合流案内部１１５Ａ，１１５Ｂの側案内面１１５ａ，１１５ｂと分岐案内部１１６Ｂ，１１６Ａの側案内面１１６ｂ，１１６ａとを接続する位置となるように構成されている。なお、案内面１２１ａ，１２１ｂの傾斜状での遮断は、上手が外側に位置しかつ下手が内側に位置した状態で行われる。
【００５０】
さらに切り換え案内部１２０は、一方の斜行案内体１２１Ａ（１２１Ｂ）が突出位置にあるとき他方の斜行案内体１２１Ｂ（１２１Ａ）は接続位置にあるように構成され、そして両斜行案内体１２１Ａ，１２１Ｂ間に設けられた移動連動機構１２５によって、一方の斜行案内体１２１Ａ（１２１Ｂ）が突出位置から接続位置に移動することに連動して、他方の斜行案内体１２１Ｂ（１２１Ａ）が接続位置から突出位置に移動するように構成されている。ここで移動連動機構１２５はリンク機構からなり、揺動体１２３Ａ，１２３Ｂの基端部分に溶接Ｙなどによって一体化された揺動リンク１２６Ａ，１２６Ｂと、これら揺動リンク１２６Ａ，１２６Ｂの遊端間に縦方向の連結ピン１２７Ａ，１２７Ｂを介して相対回動自在に設けられた連結リンク１２８などにより構成されている。
【００５１】
なお、前記斜行案内体１２１Ａ，１２１Ｂの突出上下高さｈは、合流案内部１１５Ａ，１１５Ｂや分岐案内部１１６Ｂ，１１６Ａの案内上下高さ（溝高さ）Ｈの半分位とされている。そして斜行案内体１２１Ａ，１２１Ｂの配置箇所においてローラ８６は、その下半分が案内面１２１ａ，１２１ｂの上部に対向され、上半分が側案内面１１５ａ，１１５ｂや側案内面１１６ａ，１１６ｂの上部に対向されるように構成されている。以上の１１１〜１２８などにより、上部切り換え手段１１０の一例が構成される。
【００５２】
図４、図５に示すように、前記上位フレーム材１０（本体フレーム１の上部）で、無端チェーン４０を配設するとともに往路側案内レール部１８を形成した部分に、無端チェーン４０や回転体６４の上方を閉塞状とするためのカバー体（チェーンカバー）１３０が配置される。このカバー体１３０は、側板部と、この側板部の上部から内方へ直角状に折れ曲がった上板部とにより、断面で逆Ｌ字状の型レール状に形成されている。そして、カバー体１３０は、側板部を起立部１１に対して外側から当接させた状態で、側板部の下端部分に外側から通したボルト体を、外向き溝部１４内に予め位置させたナット体に螺合させることによって、上位フレーム材１０の起立部１１に対して着脱自在に固定し得る。
【００５３】
図２に示すように、本体フレーム１の両側外方には、主搬送経路４５に対して外方かつ下手側へと傾斜した分岐搬送経路１３５Ａ，１３５Ｂを形成する分岐コンベヤ１３６Ａ，１３６Ｂが設けられる。これら分岐コンベヤ１３６Ａ，１３６Ｂは、コンベヤフレームに多数のローラを支持させることで構成され、その際にコンベヤフレームやローラは、その端部を上位フレーム材１０の段部１２内に位置させ、かつカバー体１３０の側板部に充分に接近させた状態で配置される。なお上位フレーム材１０の上向き蟻溝１５などを分岐コンベヤ１３６Ａ，１３６Ｂとの連結に利用してもよい。１４０は物品を示す。
【００５４】
以下に、上記した実施の形態１において、物品１４０の搬送、分岐作用を説明する。
すなわち、駆動装置３４の電動機３５を作動させ、減速機３６に連動した駆動軸３１を介してスプロケット３９を強制回転させることで、両無端チェーン４０を移動し得る。この両無端チェーン４０の移動によって物品支持体５０群を、回転体６４を介して両案内レール部１８，２６の上向き支持面に支持案内させるとともに、サイドローラ６５を介して案内レール部１８や上端延長部２９の横向き案内面に案内させることで、安定した状態で移動し得る。その際に復路側においては、回転体６４の上方に上端延長部２９が位置することで、この回転体６４の浮き上りを阻止し得、以て物品支持体５０群を上下でガタつくことなく安定した状態で移動し得る。これにより物品支持体５０群が循環移動することから、始端部の物品支持体５０群上に供給した物品１４０を主搬送経路４５上で搬送し得る。なお搬送時において、往路での両無端チェーン４０の移動は、カバー体１３０の下方でかつ潤滑油受け部１３の上方で行われ、また復路での両無端チェーン４０の移動は、上端延長部２９の下方でかつ潤滑油受け部２５の上方で行われる。
【００５５】
このような搬送を行う際に、物品支持体５０群と一体的に移動する物品横押し体７０は、そのローラ８６が案内装置９０，９６群に案内されることによって、物品支持体５０の長さ方向５１に往復移動したり、物品支持体５０とともに主搬送経路４５に沿って直線状に移動したりする。その際に物品横押し体７０の往復移動は、被嵌合部７９を介して、物品支持体５０における案内部５７に嵌合されて案内される状態で、すなわち、好適な摺接摩擦が生じた状態で、ガタつきがなく、かつ姿勢（向き）を大きく変化させることなく、常に安定して行える。
【００５６】
すなわち、たとえば左側の始端案内部９１Ａに案内されているローラ８６は、振り分け手段１０６Ａが直線状振り分け姿勢のときに直進案内され、そして案内作用を受けない状態で直進したのち終端案内部９４Ａに案内されることになる。これにより物品横押し体７０は物品１４０に作用せず、この物品１４０は主搬送経路４５上を直進状に搬送される。なお反対側も同様であって、右側の始端案内部９１Ｂのローラ８６は、振り分け手段１０６Ｂから終端案内部９４Ｂへと移動することになる。
【００５７】
また、左側の始端案内部９１Ａに案内されているローラ８６は、振り分け手段１０６Ａが傾斜状振り分け姿勢のときに内側へ傾斜案内され、そして内移動案内部９２Ａに案内されて内側へ移動されたのち、上部切り換え手段１１０を介して外移動案内部９３Ｂに移り、この外移動案内部９３Ｂに案内されて外側へ移動されたのち終端案内部９４Ｂに案内される。これにより物品横押し体７０群は、搬送方向に移動しながら主搬送経路４５を横切ることになり、以て横押し作用部７６が、他側の横押し当接部材７８を介して物品１４０に横押し作用して、この物品１４０を、その向きを変えながら、主搬送経路４５に対して傾斜状で分岐移動させ、右側の分岐コンベヤ１３６Ｂに渡すことになる。
【００５８】
なお反対側も同様であって、右側の始端案内部９１Ｂのローラ８６は、振り分け手段１０６Ｂ、内移動案内部９２Ｂ、上部切り換え手段１１０、外移動案内部９３Ａ、終端案内部９４Ａと案内され、物品横押し体７０群の横押し作用部７６が、一側の横押し当接部材７８を介して物品１４０に横押し作用して、この物品１４０を左側の分岐コンベヤ１３６Ａに渡すことになる。
【００５９】
このようにして終端案内部９４Ａ，９４Ｂの端部に達したローラ８６は反転案内体１０８Ａ，１０８Ｂに案内されて反転する。そして復路案内装置９６においては、まず内移動案内部９７Ａ，９７Ｂに案内されて中央部に移動され、次いで下部切り換え手段１０５により左右に振り分けられたのち、外移動案内部９８Ａ，９８Ｂの案内により外側へと移動される。その後に、反転案内体１０７Ａ，１０７Ｂに案内されて反転したのち、始端案内部９１Ａ，９１Ｂのいずれかに移される。
【００６０】
上述したようにローラ８６を、傾斜状振り分け姿勢の振り分け手段１０６Ａ，１０６Ｂによって内側へ傾斜案内し、そして内移動案内部９２Ａ，９２Ｂにより案内して内側へ移動させたのち、上部切り換え手段１１０を介して外移動案内部９３Ｂ，９３Ａに移し、この外移動案内部９３Ｂ，９３Ａにより案内して外側へ移動させたのち終端案内部９４Ｂ，９４Ａで案内し得、これにより物品横押し体７０群を、搬送方向に移動しながら主搬送経路４５を横切らせることになる。これによって、横押し作用部７６を物品１４０に横押し作用させて、この物品１４０を分岐移動させ、左右の分岐コンベヤ１３６Ａ，１３６Ｂに振り分けて渡し得る。
【００６１】
その際に、上部切り換え手段１１０の切り換わり動作は、ローラ８６の移動力を利用して自動的に行える。すなわち、たとえばローラ８６を、左側の内移動案内部９２Ａにより案内して内側へ移動させたのち、上部切り換え手段１１０を介して右側の外移動案内部９３Ｂに移しているときに、この上部切り換え手段１１０は、図１〜図６に示すように、左側の揺動体１２３Ａを下手側へ回動させて左斜行案内体１２１Ａにより分岐案内部１１６Ａを塞ぐと同時に、その案内面１２１ａによって、合流案内部１１５Ａの側案内面１１５ａと分岐案内部１１６Ｂの側案内面１１６ｂとを直線状で接続（連続）し、また、右側の揺動体１２３Ｂを上手側へ回動させて右斜行案内体１２１Ｂを合流案内部１１５Ｂに突出させ、その上手側に向く案内面１２１ｂにより合流案内部１１５Ｂを傾斜状で遮断している。
【００６２】
したがって、左側の内移動案内部９２Ａからのローラ８６は、直線状で連続している合流案内部１１５Ａの側案内面１１５ａ、左斜行案内体１２１Ａの案内面１２１ｂ、分岐案内部１１６Ｂの側案内面１１６ｂへと案内されて外移動案内部９３Ｂに移ることになり、以て物品横押し体７０群を、主搬送経路４５において左側から右側へと横切らせることになる。その際に、図１の（イ）〜（ニ）に示すように、交差部分を移動するローラ８６は、左斜行案内体１２１Ａの案内面１２１ａにより案内されることで、分岐案内部１１６Ａに入り込むことなく通過し得る。
【００６３】
このような状態において、ローラ８６を、下部切り換え手段１０５の操作によって右側の始端案内部９１Ｂへ導き、振り分け手段１０６Ｂから内移動案内部９２Ｂへ案内するように切り換えたとき、図１０の（ニ）に示すように、左側の内移動案内部９２Ａからの最後端のローラ８６が分岐案内部１１６Ｂの始端部分に達したとき、右側の内移動案内部９２Ｂからの最前端のローラ８６は合流案内部１１５Ｂ内に位置し、図１０の（ホ）に示すように、右斜行案内体１２１Ｂの案内面１２１ｂに当接（近接）した位置にある。
【００６４】
この状態から物品支持体５０群が移動すると、ローラ８６の移動力によって右斜行案内体１２１Ｂを下手側へと押し作用し、図１０の仮想線に示すように、揺動体１２３Ｂを縦ピン１２２Ｂの回りに下手側へ回動させることになる。このとき揺動体１２３Ｂの回動は、揺動リンク１２６Ｂ、連結ピン１２７Ｂ、連結リンク１２８、連結ピン１２７Ａ、揺動リンク１２６Ａを介して揺動体１２３Ａに伝達され、この揺動体１２３Ａを縦ピン１２２Ａの回りに上手側へ回動させることになる。
【００６５】
その際に右側の揺動体１２３Ｂの下手側への回動は、合流案内部１１５Ｂに対する右斜行案内体１２１Ｂの案内面１２１ｂの傾斜角度を徐々に緩やかにし、かつ合流案内部１１５Ｂから右斜行案内体１２１Ｂを徐々に退出させる状態で行われる。そして下手側への回動は、図１１に示すように、右斜行案内体１２１Ｂにより分岐案内部１１６Ｂを塞ぐと同時に、その案内面１２１ｂによって、合流案内部１１５Ｂの側案内面１１５ｂと分岐案内部１１６Ａの側案内面１１６ａとを直線状で接続（連続）させるまで行われ、このとき、左側の揺動体１２３Ａを上手側へ回動させて左斜行案内体１２１Ａを合流案内部１１５Ａに突出させ、その上手側に向く案内面１２１ａにより合流案内部１１５Ａを傾斜状で遮断させることになる。すなわち、ローラ８６の移動力によって右斜行案内体１２１Ｂを突出位置から接続位置に移動させ、この移動に移動連動機構１２５を介して連動して、左斜行案内体１２１Ａを接続位置から突出位置に移動させることになる。
【００６６】
したがって、右側の内移動案内部９２Ｂからの最前端のローラ８６は、直線状で連続している合流案内部１１５Ｂの側案内面１１５ｂ、右斜行案内体１２１Ｂの案内面１２１ｂ、分岐案内部１１６Ａの側案内面１１６ａに案内されて外移動案内部９３Ａに移ることになり、以て物品横押し体７０群を、主搬送経路４５において右側から左側へと横切らせることになる。その際に、図１１の（ホ）に示すように、交差部分を移動するローラ８６は、右斜行案内体１２１Ｂの案内面１２１ｂにより案内されることで、分岐案内部１１６Ｂに入り込むことなく通過し得る。
【００６７】
上述したように、切り換え案内部１２０の右側案内姿勢から左側案内姿勢への切り換えは、ローラ８６の移動力によって自動的にかつ常に円滑に行うことができる。なお切り換え案内部１２０の左側案内姿勢から右側案内姿勢への切り換えも同様にして、ローラ８６の移動力によって自動的にかつ常に円滑に行うことができる。
【００６８】
その際に、共通の斜行案内体１２１Ａ，１２１Ｂによって、ローラ８６の移動力の受け止めることと、対応しない分岐案内部１１６Ａ，１１６Ｂを塞ぐと同時に対応する合流案内部１１５Ａ，１１５Ｂと分岐案内部１１６Ｂ，１１６Ａとを接続することとを行うことができて、斜行案内体１２１Ａ，１２１Ｂの切り換え動を常に円滑かつ確実に行うことができるとともに、斜行案内体１２１Ａ，１２１Ｂは同一形状でよいことなどから、上部切り換え手段１１０における構造を簡素化できる。さらにローラ８６が、斜行案内体１２１Ａ，１２１Ｂに直接に押し付け作用し、そのまま移動することで、この斜行案内体１２１Ａ，１２１Ｂがガタついて跳ね返るようなことはなくなり、以て斜行案内体１２１Ａ，１２１Ｂによるローラ８６の案内を常に円滑に行うことができる。
【００６９】
その際に交差部においてローラ８６は、その上半分が側案内面１１５ａ，１１５ｂや側案内面１１６ａ，１１６ｂの上部に連続して案内されながら、交差部における或る範囲においては下半分が案内面１２１ａ，１２１ｂの上部に案内されることになり、以てローラ８６の移動を常に円滑に行うことができる。
【００７０】
また、一方側（他方側）の斜行案内体１２１Ａ（１２１Ｂ）の移動を、移動連動機構１２５を介して他方側（一方側）の斜行案内体１２１Ｂ（１２１Ａ）に伝達でき、以て一方側（他方側）の斜行案内体１２１Ａ（１２１Ｂ）を突出位置から接続位置に自動的に移動させることに移動連動機構１２５を介して連動して、他方側（一方側）の斜行案内体１２１Ｂ（１２１Ａ）を接続位置から突出位置に自動的に移動させることができる。そして、左右の斜行案内体１２１Ａ，１２１Ｂ間の連動は、簡単な構成であるリンク機構によって、精度良く円滑に行うことができる。
【００７１】
さらに大径のローラ８６を案内する形式によって、このローラ８６の遊転によって、斜行案内体１２１Ａ，１２１Ｂの摩耗を少なくでき、以て上部切り換え手段１１０における摩耗による衝突音（騒音）の発生を減少できる。そして上部切り換え手段１１０は、ローラ８６によって物品１４０を横移動させる力を全て受けることができ、物品１４０の横移動を常に安定して行うことができる。しかもローラ８６を案内する形式によって、斜行案内体１２１Ａ（１２１Ｂ）が少し内側へ変位して、案内面１２１ａ（１２１ｂ）が側案内面１１５ａ，１１６ｂ（１１５ｂ，１１６ａ）に対して非直線状で接続していたとしても、このローラ８６の大径の外周によって案内面１２１ａ（１２１ｂ）への移動は何ら支障なく行うことができ、そして移動力によって斜行案内体１２１Ａ（１２１Ｂ）の位置を自動的に修正できる。
【００７２】
上記した実施の形態１では、両斜行案内体１２１Ａ，１２１Ｂ間に移動連動機構１２５を設けた形式を示しているが、これは両斜行案内体１２１Ａ，１２１Ｂを各別に動作させる形式などであってもよい。
【００７３】
上記した実施の形態１では、移動連動機構１２５としてリンク機構を採用した形式を示しているが、これは連結リンク１２８に代えて連結ロッドを採用した形式、縦ピン１２２Ａ，１２２Ｂ間をチェーン機構や歯車機構で連動した形式などであってもよい。
【００７４】
上記した実施の形態１では、斜行案内体１２１Ａ，１２１Ｂを被案内体８４の移動力によって移動させるに、ローラ８６の移動力によって移動させる形式を示しているが、これは、支持軸（ローラ軸８５）の移動力によって移動させる形式や、物品横押し体７０側からの別の部材（大径の軸体や大径の突起体）の移動力によって移動させる形式などであってもよい。
【００７５】
上記した実施の形態１では、案内装置として往路案内装置９０を採用した形式を示しているが、これは復路案内装置９６を採用した形式などであってもよい。
上記した実施の形態１では、物品横押し体７０の下部側に、本体フレーム１側の案内装置９０，９６に案内されるローラ８６を、その上部を被嵌合部７９の中央部に埋め込んで支持させることにより垂設した支持軸（ローラ軸８５）の突出下部に取り付けた形式を示しているが、これは、物品横押し体７０の下部から一体状に垂設した支持軸部にローラ８６を取り付けた形式などであってもよい。
【００７６】
上記した実施の形態１では、無端回動体として無端チェーン４０を採用し、リンク４１間の連結を行う連結ピン４２群のうち、所定の連結ピンを内側に突出させることで形成した長尺連結ピンにより突出部を構成した形式を示しているが、これは、無端チェーン４０の所定箇所に突出部を形成した形式や、所定箇所に突出部を形成した無端ベルトを採用した形式などであってもよい。
【００７７】
上記した実施の形態１では、物品支持体５０として下面側開放の型レール状に構成した形式を示しているが、これは開放していない形式などであってもよい。
上記した実施の形態１では、上位フレーム材１０と下位フレーム材２０との別体化形式を示したが、これは下位フレーム材２０を側板、側枠形式にしてもよい。
【００７８】
上記した実施の形態１では、横押し当接部材７８を３０度の傾斜角度θに傾斜させた状態で取り付けているが、この傾斜角度は任意に設定されるものであり、また横押し当接部材７８を傾斜させることなく主搬送経路４５に沿った平行状態で取り付けた形式などであってもよい。
【図面の簡単な説明】
【００７９】
【図１】本発明の実施の形態１を示し、転換設備における上部切り換え手段部分の左から右への移動状態の平面図である。
【図２】同転換設備の概略平面図である。
【図３】同転換設備の概略側面図である。
【図４】同転換設備の一部切り欠き正面図である。
【図５】同転換設備の要部の一部切り欠き正面図である。
【図６】同転換設備における上部切り換え手段部分の一部切り欠き側面図である。
【図７】同転換設備の往路案内装置を示す概略平面図である。
【図８】同転換設備の復路案内装置を示す概略平面図である。
【図９】同転換設備の案内装置群を示す概略側面図である。
【図１０】同転換設備における上部切り換え手段の左から右への切り換え時の平面図である。
【図１１】同転換設備における上部切り換え手段部分の右から左への移動状態の平面図である。
【符号の説明】
【００８０】
１        本体フレーム
５        横連結材
１０      上位フレーム材
１８      往路側案内レール部
２０      下位フレーム材
２６      復路側案内レール部
３０      従動軸
３１      駆動軸
３４      駆動装置
３８      スプロケット（輪体）
３９      スプロケット（輪体）
４０      無端チェーン（無端回動体）
４５      主搬送経路
５０      物品支持体
５１      長さ方向
５３      物品載置板部
６１      サイドブラケット
６４      回転体（被案内部材）
６５      サイドローラ（被案内部材）
７０      物品横押し体
７１      矩形筒状部分
７６      横押し作用部
７８      横押し当接部材
８４      被案内体
８５      ローラ軸（支持軸）
８６      ローラ
９０      往路案内装置（案内装置）
９１Ａ    始端案内部
９１Ｂ    始端案内部
９２Ａ    内移動案内部
９２Ｂ    内移動案内部
９３Ａ    外移動案内部
９３Ｂ    外移動案内部
９４Ａ    終端案内部
９４Ｂ    終端案内部
９６      復路案内装置
１０５    下部切り換え手段
１０６Ａ  振り分け手段
１０６Ｂ  振り分け手段
１１０    上部切り換え手段（切り換え手段）
１１１    ベース板体（本体）
１１３    貫通部
１１５Ａ  合流案内部
１１５ａ  側案内面
１１５Ｂ  合流案内部
１１５ｂ  側案内面
１１６Ａ  分岐案内部
１１６ａ  側案内面
１１６Ｂ  分岐案内部
１１６ｂ  側案内面
１２０    切り換え案内部
１２１Ａ  左斜行案内体（斜行案内体）
１２１ａ  案内面
１２１Ｂ  右斜行案内体（斜行案内体）
１２１ｂ  案内面
１２３Ａ  揺動体
１２３Ｂ  揺動体
１２５    移動連動機構
１２６Ａ  揺動リンク
１２６Ｂ  揺動リンク
１２８    連結リンク
１３０    カバー体
１３５Ａ  分岐搬送経路
１３５Ｂ  分岐搬送経路
１４０    物品
ｈ        斜行案内体の突出上下高さ
Ｈ        案内部の上下高さ
【図１】
2007238253.tif 000003
【図２】
2007238253.tif 000004
【図３】
2007238253.tif 000005
【図４】
2007238253.tif 000006
【図５】
2007238253.tif 000007
【図６】
2007238253.tif 000008
【図７】
2007238253.tif 000009
【図８】
2007238253.tif 000010
【図９】
2007238253.tif 000011
【図１０】
2007238253.tif 000012
【図１１】
2007238253.tif 000013